(57)【要約】【課題】一般的な断面形状のカテーテルを用いて、ガイドワイヤの先端部分が膵胆管内等から抜け出さないようにカテーテルだけを内視鏡の処置具挿通チャンネルから抜去することができ、しかも膵胆管の損傷、閉塞或いは膵胆管からの抜去不能のリスク等のない安全な側方視型内視鏡の先端部を提供すること。【解決手段】処置具突出口３ｂから単独で突出されたガイドワイヤ３０の先端部分が処置具突出口３ｂ内に引き込まれる際に接触する処置具起上片４のガイドワイヤ案内面をゴム材４ｂで形成した。【選択図】      図１
2006246933.tif 000002
【特許請求の範囲】
【請求項１】
ガイドワイヤを挿脱自在なカテーテルを通すことができる処置具挿通チャンネルが挿入部内に挿通配置されると共に、上記挿入部の基端側から操作ワイヤを進退操作することにより駆動される処置具起上片が、上記挿入部の先端に側方に向いて開口する処置具突出口内に配置され、上記処置具突出口から外方に突出する上記カテーテルの突出方向を上記処置具起上片で制御することができるように構成された側方視型内視鏡の先端部において、
上記処置具突出口から単独で突出された上記ガイドワイヤの先端部分が上記処置具突出口内に引き込まれる際に接触する上記処置具起上片のガイドワイヤ案内面をゴム材で形成したことを特徴とする側方視型内視鏡の先端部。
【請求項２】
上記カテーテルが上記処置具突出口から突没される際に接触する上記処置具起上片のカテーテル案内面が上記ゴム材より滑りのよい部材で形成されている請求項１記載の側方視型内視鏡の先端部。
【請求項３】
上記処置具突出口から突没する処置具を案内する上記処置具起上片の処置具案内面が奥側へ次第に幅が狭まる溝状に形成されていて、その底部寄りの部分が上記ガイドワイヤ案内面、開口部寄りの部分が上記カテーテル案内面になっている請求項２記載の側方視型内視鏡の先端部。
【請求項４】
上記カテーテル案内面が溝状に形成されると共に、上記ガイドワイヤ案内面が上記カテーテル案内面の底部に上記カテーテル案内面より狭幅の溝状に形成されている請求項２記載の側方視型内視鏡の先端部。
【発明の詳細な説明】
【技術分野】
【０００１】
この発明は側方視型内視鏡の先端部に関する。
【背景技術】
【０００２】
膵胆管等のような細い管腔内にカテーテルを挿入して、そのカテーテルをさらに別のカテーテルに交換するカテーテル交換術等を行う際には、先ずガイドワイヤが挿通配置されたカテーテルの先端を内視鏡の処置具挿通チャンネルを経由して膵胆管等に挿入し、次いでガイドワイヤの先端部分だけを膵胆管内に残してカテーテルを抜去し、そのガイドワイヤをガイドにして別のカテーテルを挿入する手技がとられる。
【０００３】
しかし、単純にガイドワイヤの先端を膵胆管内に残してカテーテルだけを抜去しようとすると、内視鏡に設けられている長い処置具挿通チャンネルからカテーテルを引き出す操作をしている際にガイドワイヤの先端部分が膵胆管から抜け出てしまい、全てを初めからやり直さなければならない場合が多々発生する。
【０００４】
それを防止するために、ガイドワイヤの先端を膵胆管内で膨らませて抜け止め機能を得られるようにすることも考えられるが、膵胆管の損傷や閉塞をまねいたり、膨らんだまま元へ戻らなくなってガイドワイヤが抜去できなくなるリスクがある等の難点がある。
【０００５】
そこで従来は、ガイドワイヤの手元側を内視鏡の処置具挿通チャンネルの入口部分に選択的に固定することができるようにしていた（例えば、特許文献１）。
【特許文献１】特表２００２−５１５３０５
【発明の開示】
【発明が解決しようとする課題】
【０００６】
しかし、特許文献１に記載されているようにガイドワイヤの手元側を内視鏡の処置具挿通チャンネルの入口部分に固定した状態でカテーテルだけを抜去できるようにするには、ガイドワイヤをカテーテルの外面に沿わせる必要があるので、Ｕ字溝が外面に全長にわたって形成されたカテーテル等のように特殊な断面形状のカテーテルを使用しなければならず一般的でない。
【０００７】
そこで本発明は、一般的な断面形状のカテーテルを用いて、ガイドワイヤの先端部分が膵胆管内等から抜け出さないようにカテーテルだけを内視鏡の処置具挿通チャンネルから抜去することができ、しかも膵胆管の損傷、閉塞或いは膵胆管からの抜去不能のリスク等のない安全な側方視型内視鏡の先端部を提供することを目的とする。
【課題を解決するための手段】
【０００８】
上記の目的を達成するため、本発明の側方視型内視鏡の先端部は、ガイドワイヤを挿脱自在なカテーテルを通すことができる処置具挿通チャンネルが挿入部内に挿通配置されると共に、挿入部の基端側から操作ワイヤを進退操作することにより駆動される処置具起上片が、挿入部の先端に側方に向いて開口する処置具突出口内に配置され、処置具突出口から外方に突出するカテーテルの突出方向を処置具起上片で制御することができるように構成された側方視型内視鏡の先端部において、処置具突出口から単独で突出されたガイドワイヤの先端部分が処置具突出口内に引き込まれる際に接触する処置具起上片のガイドワイヤ案内面をゴム材で形成したものである。
【０００９】
なお、カテーテルが処置具突出口から突没される際に接触する処置具起上片のカテーテル案内面がゴム材より滑りのよい部材で形成されているとよい。そして、処置具突出口から突没する処置具を案内する処置具起上片の処置具案内面が奥側へ次第に幅が狭まる溝状に形成されていて、その底部寄りの部分がガイドワイヤ案内面、開口部寄りの部分がカテーテル案内面になっていてもよい。
【００１０】
また、カテーテル案内面が溝状に形成されると共に、ガイドワイヤ案内面がカテーテル案内面の底部にカテーテル案内面より狭幅の溝状に形成されていてもよい。
【発明の効果】
【００１１】
本発明によれば、処置具突出口から単独で突出されたガイドワイヤの先端部分が処置具突出口内に引き込まれる際に接触する処置具起上片のガイドワイヤ案内面をゴム材で形成したことにより、ガイドワイヤが単体で処置具突出口を通過する際には大きな摩擦抵抗を受けるので、一般的な断面形状のカテーテルを用いて、ガイドワイヤの先端部分が膵胆管内等から抜け出さないようにカテーテルだけを内視鏡の処置具挿通チャンネルから抜去することができ、ガイドワイヤの先端部分を膵胆管内に保持するための阻止力が膵胆管には加わらないので、膵胆管の損傷、閉塞或いは膵胆管からガイドワイヤが抜去不能になる等のリスクがない。
【発明を実施するための最良の形態】
【００１２】
ガイドワイヤを挿脱自在なカテーテルを通すことができる処置具挿通チャンネルが挿入部内に挿通配置されると共に、挿入部の基端側から操作ワイヤを進退操作することにより駆動される処置具起上片が、挿入部の先端に側方に向いて開口する処置具突出口内に配置され、処置具突出口から外方に突出するカテーテルの突出方向を処置具起上片で制御することができるように構成された側方視型内視鏡の先端部において、処置具突出口から単独で突出されたガイドワイヤの先端部分が処置具突出口内に引き込まれる際に接触する処置具起上片のガイドワイヤ案内面をゴム材で形成する。
【実施例】
【００１３】
図面を参照して本発明の実施例を説明する。
図３は内視鏡の全体構成を示しており、この内視鏡は可撓性の挿入部１の先端に連結された先端部本体２の側方を観察領域とするいわゆる側方視型内視鏡であって、観察窓や照明窓等が先端部本体２の側面に配置され、挿入部１の基端に操作部１０が連結されている。
【００１４】
挿入部１内には、カテーテルその他各種の処置具を通すことができる処置具挿通チャンネル３が全長にわたって挿通配置されていて、その入口開口３ａは挿入部１と操作部１０との連結部付近に斜め上方に向けて配置され、出口開口である処置具突出口３ｂは観察方向と向きを合わせて先端部本体２の側面に配置されている。
【００１５】
処置具突出口３ｂの内側には、処置具突出口３ｂから外方に突出する処置具等の突出方向を制御するための処置具起上片４が配置されていて、処置具起上片４を回動駆動するための操作ワイヤ５が、操作部１０に配置された操作レバー１１により進退操作される。
【００１６】
図４は先端部本体２付近を拡大して示す側面断面図、図５は平面図であり、全長にわたってガイドワイヤ３０が挿通されたカテーテル２０が処置具挿通チャンネル３に通されて、カテーテル２０の先端部分が処置具突出口３ｂから外方に突出した状態が図示されている。図５に示される６は観察窓、７は照明窓である。
【００１７】
処置具起上片４は、図４に示されるように支軸４ｘを中心に回動自在に先端部本体２に取り付けられていて、処置具挿通チャンネル３に挿通された処置具（ここではカテーテル２０）が処置具突出口３ｂから突没する際に処置具（２０）を案内するための処置具案内面４ａが処置具起上片４の表面に形成されている。
【００１８】
操作ワイヤ５の先端はそのような処置具起上片４の支軸４ｘから離れた位置に連結されており、操作ワイヤ５が軸線方向に進退操作されることにより、処置具起上片４が支軸４ｘを中心に回動して処置具突出口３ｂからの処置具（２０）の突出方向が変化する。なお、処置具起上片４に直結されたアーム等に操作ワイヤ５の先端を連結してもよく、その部分の機構は公知の各種機構を用いることができる。
【００１９】
そのような構成により、操作ワイヤ５が操作部１０側から牽引操作されていない時は、図４に二点鎖線で示されるように処置具突出口３ｂが広く開放された状態になっており、矢印Ａで示されるように操作ワイヤ５が操作部１０側から牽引操作されると、処置具起上片４が支軸４ｘを中心に回動し、処置具突出口３ｂから外方に突出する処置具（２０）が、図４に実線で示されるように起上された状態になる。
【００２０】
処置具起上片４の処置具案内面４ａは、奥側へ次第に幅が狭まる鈍角のＶ字状に形成されている。したがって、カテーテル２０内に挿通されているような径の細いガイドワイヤ３０が単体で通過する際には、処置具案内面４ａの底寄りの部分がガイドワイヤ案内面になり、カテーテル２０が通過する際にはそれより開口部寄りの部分がカテーテル案内面になる。
【００２１】
この実施例の処置具起上片４は、単体で図示する図６にも示されるように、ガイドワイヤ案内面になる処置具案内面４ａの底寄りの部分だけが摩擦係数の大きなゴム材４ｂで形成され、処置具起上片４のその他の部分はゴム材４ｂより滑りのよいステンレス鋼又はプラスチック材等で形成されている。
【００２２】
したがって、カテーテル２０が処置具案内面４ａを通過する際には、図４及び図５に示されるようにカテーテル２０がゴム材４ｂと接触することなく、金属面又はプラスチック面である処置具案内面４ａのカテーテル案内面に沿って進退する。
【００２３】
そして、ガイドワイヤ３０が単体で処置具案内面４ａを通過する際には、図１及び図２に示されるように、ガイドワイヤ３０が、ゴム材４ｂにより形成されているガイドワイヤ案内面と接触した状態で大きな摩擦抵抗を受けながら進退する。
【００２４】
図７〜図１０は上述のように構成された内視鏡の使用状態を順に示しており、先ず図７及び図８に示されるように、ガイドワイヤ３０が内挿された状態のカテーテル２０を内視鏡の処置具挿通チャンネル３に通して、処置具突出口３ｂから膵胆管１００に向かって突出させたカテーテル２０の先端部分を膵胆管１００内に差し込む。カテーテル２０は一般的な円形断面形状のものである。
【００２５】
そして、手元側でガイドワイヤ３０を動かないように押さえてカテーテル２０だけを引き出す操作を行い、図９に示されるように、カテーテル２０が処置具突出口３ｂの内側まで退避した状態になると、ガイドワイヤ３０が処置具起上片４のゴム材４ｂ（ガイドワイヤ案内面）に接触した状態になって大きな摩擦抵抗を受け、カテーテル２０の引き出し動作程度ではガイドワイヤ３０の先端が膵胆管１００内から抜け出さなくなる。
【００２６】
したがって、それ以降はガイドワイヤ３０の保持にさほど気をつかうことなくカテーテル２０を一気に抜去して、図１０に示されるように、膵胆管１００内にガイドワイヤ３０の先端を残した状態でカテーテル２０だけをスムーズに処置具挿通チャンネル３から抜去することができる。
【００２７】
そして、ガイドワイヤ３０の先端を膵胆管１００内に保持するための阻止力は内視鏡側の部材である処置具起上片４に加わって膵胆管１００に加わらないので、膵胆管１００の損傷、閉塞或いはガイドワイヤ３０が膵胆管１００から抜去不能になる等のリスクがない。
【００２８】
図１１は本発明の第２の実施例の処置具起上片４を示しており、Ｖ溝状に形成された処置具案内面４ａをカテーテル案内面とする点は第１の実施例と同じであるが、そのＶ溝状のカテーテル案内面の底部にガイドワイヤ３０が通過可能でカテーテル２０は通らない狭幅の溝を形成し、その部分のみにゴム材４ｂを配置してガイドワイヤ案内面としたものである。
【００２９】
また、図１２は本発明の第３の実施例を示しており、処置具起上片４の先端寄りの部分（支軸４ｘから離れた側の部分）をゴム材４ｂで形成したものである。このように構成しても、ガイドワイヤ３０の先端が膵胆管１００内から抜け出すことを抑制することができ、処置具起上片４全体をゴム材４ｂで形成してもよい。
【図面の簡単な説明】
【００３０】
【図１】本発明の第１の実施例の側方視型内視鏡の先端部からガイドワイヤが単体で突没する状態の側面断面図である。
【図２】本発明の第１の実施例の側方視型内視鏡の先端部からガイドワイヤが単体で突没する状態の平面図である。
【図３】本発明の実施例の内視鏡の全体構成を示す側面図である。
【図４】本発明の第１の実施例の側方視型内視鏡の先端部からカテーテルが突没する状態の側面断面図である。
【図５】本発明の第１の実施例の側方視型内視鏡の先端部からカテーテルが突没する状態の平面図である。
【図６】本発明の第１の実施例の側方視型内視鏡の先端部の処置具起上片を単体で示す斜視図である。
【図７】本発明の第１の実施例の内視鏡の使用状態を例示する略示図である。
【図８】本発明の第１の実施例の内視鏡の使用状態を例示する略示図である。
【図９】本発明の第１の実施例の内視鏡の使用状態を例示する略示図である。
【図１０】本発明の第１の実施例の内視鏡の使用状態を例示する略示図である。
【図１１】本発明の第２の実施例の側方視型内視鏡の先端部の処置具起上片の部分断面図である。
【図１２】本発明の第３の実施例の側方視型内視鏡の先端部の処置具起上片を単体で示す斜視図である。
【符号の説明】
【００３１】
１  挿入部
２  先端部本体（挿入部の先端）
３  処置具挿通チャンネル
３ｂ  処置具突出口
４  処置具起上片
４ａ  処置具案内面
４ｂ  ゴム材
４ｘ  支軸
５  操作ワイヤ
１０  操作部
１１  操作レバー
２０  カテーテル
３０  ガイドワイヤ
１００  膵胆管
【図１】
2006246933.tif 000003
【図２】
2006246933.tif 000004
【図３】
2006246933.tif 000005
【図４】
2006246933.tif 000006
【図５】
2006246933.tif 000007
【図６】
2006246933.tif 000008
【図７】
2006246933.tif 000009
【図８】
2006246933.tif 000010
【図９】
2006246933.tif 000011
【図１０】
2006246933.tif 000012
【図１１】
2006246933.tif 000013
【図１２】
2006246933.tif 000014